(57)【要約】  ケース１０は、滑動可能なブリスターカード１２と、ベース１６とトップ１８とから成るロックスリーブ１４とを有する。前記カードは、紙、厚紙又は金属泊上で薬剤を保持する単層プラスチックの表面に形成されたブリスター３０を伴った従来のブリスターによる服用量の包装に用いられる材料から成る。前記トップとベースは、一端部２６に沿って開口された閉じたケースを形成する。受容する開口部３４を有するブリスターカードは、戻り止め２９が開口部３４と係合するまで、スライドされて、内側に押される。前記戻り止めと隣接する付属物４８は、前記カードの受容する開口部において、前記ブリスターカードを前記戻り止めと係合させる。前記カードを撓ませ、前記戻り止めから離れるように前記開口部を移動させて、前記カードを前記スリーブの開口端を通じてスライドさせることにより、リリース２０を押されるため、前記カードと前記戻り止めの係合は解除される。逆圧により、前記ブリスターカードは、部品を操作することなく、容易にスライドして、収納された要素を戻すことができる。
2007506623.tif 000002
【特許請求の範囲】
【請求項１】
小出しされるべきアイテムを保持しているケース及び滑動可能なカードとを備えた保存・投薬システムであって、
前記カードは、少なくとも一つの戻り止め受けと少なくとも一つの保持装置受けを備え、
前記ケースは、
第２側面に嵌合的に接続されて、前記カードを受容する空洞を形成する第１側面と、
前記係合接続により形成されると共に前記空洞をさらに規定している対向する閉鎖縁端部と閉鎖端部と、
前記カードが第１位置と第２位置との間を移動可能なように構成された前記閉鎖端部と対向する開口端部と、
前記側面の一つから前記戻り止め受けと係合するための前記空洞へ向かって延伸する少なくとも一つの戻り止めと、
前記戻り止め受けと前記戻り止めの係合を解除するように構成された前記戻り止め近接するリリースと、
を備えており、
前記戻り止めと戻り止め受けを係合することにより、前記ケース内の前記カードをロックして、且つ、前記リリースを操作して、前記戻り止めと戻り止め受けとの係合を解除することにより、前記カードのロックを解除することを特徴とする前記システム。
【請求項２】
前記戻り止めを係合させるために、前記戻り止めと隣接した前記戻り止め受けを押し上げるための係合手段をさらに備えることを特徴とする請求項１に記載のシステム。
【請求項３】
固定端と遠位自由端を有する前記空洞内に設けられた保持装置をさらに備え、前記自由端は、前記保持装置受けと係合し、前記ケースから前記カードの離脱を妨げるように構成されることを特徴とする請求項２に記載のシステム。
【請求項４】
前記保持装置が、交換用のカードによって前記保持装置受けから前記自由端の係合を解除させることが可能なように構成されることを特徴とする請求項３に記載のシステム。
【請求項５】
前記戻り止め受けと前記保持装置受けとが、それぞれ同一の開口部を備えることを特徴とする請求項４に記載のシステム。
【請求項６】
前記カードが、消耗する薬剤を保持し、単位量を服用するためのブリスターカードであることを特徴とする請求項１に記載のシステム。
【請求項７】
前記係合手段が、前記カードに圧縮力を作用させる少なくとも一つの内方に延伸する付属物を備えることを特徴とする請求項２に記載のシステム。
【請求項８】
前記第１位置が、前記戻り止め受けと係合された前記戻り止めとを備え、前記カードが実質的に前記ケース内に収められていることを特徴とする請求項１に記載のシステム。
【請求項９】
前記第２位置が、前記保持装置受けと係合された前記保持装置を備え、前記カードが実質的に前記ケースを越えて延伸されていることを特徴とする請求項１に記載のシステム。
【請求項１０】
トップと嵌合的に接続されて、薬剤を保持するブリスターカードを受容するための空洞を形成するベースと、
前記係合接続部によって形成され、前記空洞をさらに規定する、対向する側面及び閉鎖端部と、
前記カードの移動を許容するように構成され、前記閉鎖端部に対向する開口端部と、
前記空洞内に位置し、少なくとも一つの第１の位置（実質的な受容位置）位置で前記カードと係合する戻り止めと、
前記カードが前記第１位置内に位置する場合に、前記空洞内に位置すると共に、前記戻り止めに隣接して、前記カードを前記戻り止めと係合するために押し上げるように構成された少なくとも一つの係合手段と、
前記ケースと一体となって、前記戻り止め近傍に位置し、前記カードを前記戻り止めから離脱するように構成されたリリースと、
前記空洞内に位置して、第２の実質的に延伸された位置内で前記カードと係合する少なくとも一つの保持装置と、
を備えることを特徴とする小児用の安全な小児用の安全装置。
【請求項１１】
前記係合手段が、少なくとも一つの内方に延伸する付属物を備えることを特徴とする請求項１０に記載の装置。
【請求項１２】
前記延伸する付属物が、圧縮力を前記カードに作用させることを特徴とする請求項１１に記載の装置。
【請求項１３】
前記保持装置が、開放可能な、且つ、内方に延伸する付属物を備えることを特徴とする請求項１０に記載の装置。
【請求項１４】
薬剤を受容するように構成された複数の柔軟なブリスターを有する第１側面と、
少なくとも一つのブリスター内に位置する少なくとも一つの薬剤と、
第２側面に付着して、前記それぞれのブリスター内に前記薬剤を固定するための破壊可能なシール材と、
前記カードが第１の位置（実質的に受容される位置）にある場合に、前記ケースの戻り止めと係合するように構成された少なくとも一つの戻り止め受けと、
前記カードが第２の位置（実質的に延伸する位置）にある場合に、前記ケースに取り付けられた保持装置と係合するように構成された少なくとも一つの保持装置受けと、
を備え、
前記ブリスターにより、前記カードが前記第１位置と第２位置との間をスライドすることを特徴とするケースに受容する小児用の安全なブリスターカード受けケースと共に使用するためのブリスターカード。
【請求項１５】
前記戻り止め受けと前記保持装置受けとが、それぞれ別々の開口部を備えることを特徴とする請求項１４に記載のカード。
【請求項１６】
前記戻り止め受けと前記保持装置受けとが、それぞれ同一の開口部を備えることを特徴とする請求項１４に記載のカード。
【請求項１７】
前記第１位置が、実質的に前記ケース内に囲まれている前記カードを備えることを特徴とする請求項１４に記載のカード。
【請求項１８】
前記第２位置が、実質的に前記ケースを越えて延伸する前記カードを備えることを特徴とする請求項１４に記載のカード。
【発明の詳細な説明】
【技術分野】
【０００１】
［関連出願についての記載］
本願発明は、２００３年９月２３日に出願された同時係属中の米国特許仮出願第６０／５０４，９７７号の優先権を主張しており、該出願は、引用により、その全体が本明細書に組み込まれる。
【０００２】
本願発明は、一般的には、小児安全用のロックケースに関する。特に、本願発明は、薬剤の入ったブリスターカードを受容し、保持し、及び安全にするための小児用の安全ケースであって、前記ケース内に位置する付属物を経由して、開放可能なように前記ブリスターカードを係合するように構成されているものに関する。
【背景技術】
【０００３】
前記ケースを開けるために複数の動作を要するロックケース、特に小児用の安全ケース又はロックケースには、多くの用途がある。ロックケースの１つの用途は、丸薬及び錠剤の形状の薬又は薬剤の投薬をコントロールすることにある。薬剤瓶のロックキャップはよく知られている。前記キャップを回しケースから取り除いて薬剤を取り出す際に、一般的なロックキャップの構造には、整合された配置及び傾斜、又は、軸方向圧力、又は、半径内向きの絞りを必要とされる。
【０００４】
多くの薬剤は、簡便な平箱に包装されており、チャイルドプルーフロックを取り付けることは困難である。丸剤又は錠剤の形態をした多くの薬剤は、前記カバーから錠剤が取り出される場合に穴を開けられる紙又は箔によりシールされたプラスチックシート上に形成された保護胞（protective alvedi）であるブリスターカードで利用することが可能である。厚紙でできた平箱を開いた場合に、前記包装の中身の全てがむき出しになるので、全ての前記錠剤は、直ちに使用可能な状態となってしまう。大量の錠剤を手に取って不意にそれを飲んでしまうような危険が、子供の身に及ぶことは明白である。
【０００５】
薬剤を保持するための小児用の安全な平箱の存在が求められる。前記箱を開くために協働する動作を必要とするロック機能付き平箱の存在が求められる。一度に限定された服用量を提供するような薬剤を保持するケースの存在が求められる。
【発明の開示】
【発明が解決しようとする課題】
【０００６】
本願発明の図示された実施例は、ブリスターカード内に入った薬剤のための小児用の安全ケースに関するものである。一般的に言えば、３つの側面が閉じられた２ピース成形のプラスチックケースは、開口する前面を通じて、滑動可能なように平行移動するブリスターカードを受容する空洞を形成する。付属物は、前記ブリスターカードを隣接するキャッチ（catch）へと係合させるための手段として、前記空洞内へ延伸する。係合手段は、前記カードに力を及ぼすためにリブとスプリングとを含み、これらは成形プラスチック部品に取り付けられ又は形成されており、本願発明の技術分野における当業者には周知である。図示された実施例は、前記ケースの一側面に成形された２つの可撓性を有するスプリングが、キャッチがブリスターカードの一部である少なくとも一つの開口部に係合するように設けられ、位置決めされた対向する側面に抗して前記ブリスターカードを押す。保持装置は、ブリスターカードが完全に取り外されることを防止する。しかしながら、交換用のブリスターカードのような薄いデバイスで前記保持装置を操作することにより、最初に使ったブリスターカードを取り外し、前記ケースからスライドして取り出すことが可能となる。一方の部品に成形されたポストは、他方の部品に成形された対応する中空円筒部と嵌合されて溶接される。抵抗溶接装置（energy directors）は、側端部を溶接することができる。本願発明により、製造の間に、購入時点において、ヘルスケアの専門家によって、又は、その後における使用者によって、ブリスターカードをケースに入れることが可能となる。さらに、本願発明により、組立コストの削減及び小児安全、且つ、再利用可能な薬剤用ケースの提供を実現することができる。付加的な実施例において、1回の服用量を配置したケースの提供を実現する。
【０００７】
１回の服用量を配置したケースにおいて、ブリスターカードを保持し、且つ、薬剤を配置するための小児安全ケースは、３つの端部で閉じられた２ピース成形されたプラスチックスリーブを有する。ブリスターカードは、開口された４番目の端部を通じて滑動可能であり、これにより、部品の操作時にブリスターの列がむき出しになる。付属物（ここでは、前記開口端部近傍のダガースプリング（dagger spring）とされている）は、前記ブリスターカード内の開口部を通じて係合されて、前記カードを抜き出すときに変位規制部として作用する。
【０００８】
例えば、可撓性を有するスプリングや剛性のあるリブのような追加的な付属物は、第１の部品に成形するか又は取り付けることができて、成形されたキャッチ又は戻り止め（detent）を含む部品の内面に抗して、前記ブリスターカードに力を付与するように構成することもできる。前記戻り止め（ここでは、教示の目的であって、閉鎖端部近傍のバネに対向する側面に限定されない）は、前記ブリスターカードの開口部と係合して、完全に挿入されたブリスターカードが外方へ滑ることを防止する。隣接するリリースを押すことにより、前記ブリスターカードは変形して、成形されたキャッチは、前記ブリスターカードの開口部と係合しなくなる。これにより、前記ブリスターカードは、ケースから外方へスライドして取り外されて、ブリスターを露出させる。キャッチの後側にある傾斜面（ramp）は、ブリスターカードが内向きにスライドするにつれて、前記ブリスターカードを押圧する。一方の部品に成形されたポストは、他方の部品に成形された中空円筒部に挿入されて溶接される。抵抗溶接装置は、ポスト及び円筒部と同様に、側端部を溶接することができる。
【０００９】
保存・投薬システムは、滑動するブリスターカードとベース及びこのベースと嵌合的に結合されたトップを備えるロックスリーブを有する。前記トップは、円筒部一方の部品上の一体的なピンによってベースに嵌合されており、当該ピンは別の部品上の一体的な円筒部に挿入されている。次いで、プラスチックスリーブのシャットを溶接する。前記カードは、従来の１回の服用量のブリスターケースの材料から作られる。すなわち、シールされた紙又は箔の基体上に丸剤又は錠剤を保持するために形状付けされた胞（alveoli）を有する単層プラスチックの表面である。前記紙又は箔が、各ブリスターの下で押し込まれ、切断され、又は、破られることにより、それぞれの服用量を取り出すことが可能となる。従来の方法により製造されたブリスターカードは、内部の付属物と協働するように配置された少なくとも一つの受容するための開口部とブリスターとで構成されており、部品が機能するための最低限の構造的剛性しか提供することができない。
【００１０】
実際には、前記ブリスターカードは前記スリーブの開口部内に配置されており、規制バネ（limit spring）を通過して、おそらく案内用の円筒部とリブとの間のスライドガイド上を内方に押される。スプリングやリブのような内部付属物によって、ブリスターカードは戻り止めの方へ移動される。戻り止め又はキャッチは、前記ブリスターカードの受容する開口部と係合して、前記スリーブ内に前記カードをロックする。前記カードのロックを解除するために、リリースが設けられる。図示した実施例では、前記リリースを操作するには、内方に押して前記キャッチから離脱するように前記カードの一部を撓ませることが必要とされる。前記カードを撓ませることによって、前記戻り止めから離脱するように受容する開口部を移動させることにより、前記カードを前記スリーブの開放端を通じて外方へスライドさせることができる。そして、前記カードを延伸してブリスターを露出することは、カードを一段階ずつ外方にスライドさせるか、受容する開口部が保持装置と係合するまでスライドさせるかの問題となる。逆方向の圧力により、前記ブリスターカードは、容易にスライドして、前記ケースに戻すことができる。
【００１１】
本願発明による実施例は、少なくとも以下の優位な点、すなわち、重量の軽さ、耐いたずら性、小児安全性、アクセスの容易さ、優れた耐久性、組立の容易さ、繰り返しの使用、及び優れた経済性を提供する。本願発明は、薬剤関連の商品に限定されないことも意図するが、極めて大量の繊細、敏感又は独特な携行商品に適用可能である。本願発明の他の利点は、以下の記載、関連する図面及び添付された特許請求の範囲から明らかである。
【発明を実施するための最良の形態】
【００１２】
必要に応じて、本願発明の詳細な実施例を以下に示す。開示された実施例は、本願発明の単なる典型例であり、様々な代替となる形態で実施することができることが理解されるであろう。図は、必ずしも縮尺通りではなく、幾つかの構成（feature）が誇張又は簡略化されることにより、特定の構成部品の詳細を示している。他の例では、本願発明の本質を曖昧にすることを避けるために、周知の材料又は手法が詳細には表わされていない。従って、下記に開示される特定の構造と機能的な詳細とが限定されて解釈されてはならない。しかしながら、特許請求の範囲及び教示事項に基づいて、本願発明分野に属する当業者は本願発明を多様に実行することができる。
【００１３】
全体に亘って同様の参照符号は同様の構成を表わしている。図について言及すると、本願発明の複数の実施例が図示されている。初めに図１〜３を見てみると、ロックケースの分解上面図、分解底面図及び底面図がある。図１によると、ロックケース１０は、滑動する１回服用分のブリスターカード１２を備える。ロックスリーブ１４は、ベース１６と上面１８とを備える。略Ｕ状押しフラップ２０は、開口部２１の中に形成されて、薄く弾性のあるヒンジ部２２により、前記ケースとともに結合され、一体的に形成される。押すと解放されるフラップの自由端２４を押すことにより、トレイ１２はフリーな状態になる。自由端２４は、その内側に湾曲したリム２５を備える。フラップ２０が沈み込んでいる間に、開口された端部の凹部２８の中にある前記カードの露出端部２６を掴んで外側へ引き出すことにより、カードを滑動させ前記ケースから取り外して、前記ブリスターを露出させることができる。
【００１４】
ブリスターカード１２は、２つの列３２に配列された１回の服用量を受容するブリスター３０を備える。この特別な配列により、前記ブリスターは、前記カードが内方へ又は外方へスライドする場合に、図示された実施例の特定の内側構成部分との干渉を避けることができる。前記カードは、当業者によってよく知られた方法で構築されており、内側構成部分と係合するための１以上の開口部を含む。図示されたブリスターカード１２は、１つの開口部又は穴３４を有し、これらは戻り止め受け及び保持装置受けとして機能するように構成されており、前記カードと協調的に係合して、前記カードがスリーブ１４から外れることを防止する。図示された実施例において、開口部３４は、ブリスター３０を越えた位置にあり、戻り止め２９と協働して、リリース２０を押すこと又はさもなくば他の適当に操作することによりリリース２０を意図的に解放されるまで、前記カードが移動又は変形することを防止する。
【００１５】
代替的な実施例においては、前記カードが前記ケース内部に完全に嵌め込まれた場合には、前記カードの端部にあるリブ３８は、スリーブ１４の開口端４０を閉じ、さらにブリスター３０へのアクセスを防止する。前記リブは、切欠部２８内に係合して、前記カードの外方へのスライドを補助する。図３において最も良く表わされているように、閉じられた位置では、リブ３８が、上面１８の内側に抗して押されることにより、スリーブ１４の開口端４０をさらに封止する。
【００１６】
スリーブの上面１８における開口部４６には、ここではバネ４８として図示されるように、係合手段を内方に形成することができて、このバネ４８は、前記カードを押し込むことにより、戻り止め２９を保持すると共に穴３４に係合させる。追加的な係合手段は、当業者にはよく知られているように、前記カードに力を加えるものとして、リブ、板バネ、ダガーバネ（dagger spring）及びそれに類する構成物を含む。係合手段は、戻り止めと対向する必要はなく、むしろ、係合手段と前記戻り止めとは、単に協調的に前記カードの戻り止め保持装置３４と係合するように構成されていれば良いことが理解されるであろう。
【００１７】
ベース１６の側壁５２に沿って並んだ円筒部５０は、前記上面から下方へ延伸するピン５１を受容することができる。保持装置５４は、凹部２８の上方にある開口端４０の近くであって、上面１８の中央にある前記バネとして図示されるが、保持装置５４は、開口部３４として図示されている前記保持装置受けを通じて延伸することにより、不慮の事故により前記カードが引き抜かれることを防止する。戻り止め２９は、ここでは穴３４として図示されている前記戻り止め保持装置を通じて突出することにより、スリーブ１４内にトレイ１２を固定する。保持装置５４は挿入されたブレード又は交換用カードによって押し込まれ、穴３４から前記バネを引き抜くことが可能となり、満たされたブリスターカードを挿入する準備のために、空のブリスターカード１２を解放する。カードが前記ベースの内外へ滑動するときには、内部リブ５８が前記カードを安定させる。
【００１８】
図４は、改良されたラウンド形状の閉鎖端部を有するロックケース１１の部分的に延伸されたスリーブを透視した上面図である。図示された構成において、トップ１８がベース１６の上に組み付けられた後、前記カードは前記ケース内に載置される。これに代えて、前記カードを組立前に前記ベースの上に載置することもできる。
【００１９】
図５は、カード１２を挿入可能な状態となっているパッケージ１１の前記スリーブ１４を透視した底面図である。トップ１８は、その内側にスプリング４８の間に配置されたリブを有しており、ベース１６の内面上にあるガイド６４に対して、前記カードを保持している。前記リブとスプリング４８とは、ブリスターが前記トップの内面から離間するのに十分な高さとされている。
【００２０】
略Ｕ状フラップ２０のヘッド２４は、前記リブ又はスプリング４８の間に配置されており、リブ５８の内側端部６８の間のギャップ６６（図２に最も良く示されている）でスプリングの方向にカードを撓ませ、戻り止め２９から穴３４を離脱させる。前記ベースの内面上にある付加的なガイド６４により、前記カードを容易にスライドさせることができる。ベースの側壁５２の内側におけるリッジ５８は、トップ１８上の相補的な側壁の内側に適合することができる。プッシュトレイリリースフラップ２０は、戻り止め２９と協働する前記フラップのヘッド２４の内側にリブ２５を含む。前記ブリスターカードの隣接部分が、係合のための付属物４８に抗してトップ１８へ向かって撓むことにより、戻り止め２９との係合から前記カードを解放する場合には、リブ２５が内側に押される。
【００２１】
戻り止め２９は、真っ直ぐな又はフック状の内面７６を有し、ブッシュバー２０とリブ２５とが前記戻り止めから離れるように前記カードを撓ませない限り、前記カードを保持して、外側への移動を防止する。前記カードの内部で移動する場合に、前記戻り止め上の傾斜した外面７８は、カードを内側へ移動させる際に、前記戻り止めから離れるように前記カードを撓ませ、前記カードの前記自由端を押したときに、内側への自由な動きを許容する。
【００２２】
ブリスターの間に設けられた一週間の曜日の頭文字又は他の規則に関する表示（compliance related indicia）が、リマインダーとして機能する。丸薬をブリスター３０から取り出した後、前記カードを内側にスライドさせることにより、前記カードを戻すことができる。内側にスライドさせている間、傾斜した表面７８は、開口部３４及びカード１２を押し上げて、戻り止め２９から離脱させる。完全に挿入された場合には、開口部３４は戻り止め２９と係合される。
【００２３】
代替的な実施例においては、図示しないが、略Ｔ状リリースバー２０が内向きにモールドされており、カードにより外側に押される。案内リブが前記ブリスターの側面の間又はその側面に位置するので、リブ又はスプリング４８のような係合手段は、トップ１８と共に内側に成形される。従って、係合手段は、前記略Ｔ状バーを外方へ保持する際に、前記カードを支持する。前記戻り止めの傾斜した背面とリブの内面とは他のカードの表面に沿って丸められており、前記カードのスライドすなわち前記表面の移動を容易ならしめる。前記ブッシュバーの外面は摩擦溝を有しており、前記バーを内向きに押す場合の助けとなる。前記カード上の複数の平行な穴３４は、前記ケースの内部に形成された平行な戻り止めと係合する。略Ｔ状リリース２０を内向きに押すことにより、係合手段により提供される力に抗して、カード１２の一部が前記戻り止めから離脱するように撓む。穴３４は、前記カードの撓みにより、戻り止め２９から離脱するように移動して、トレイ１２をスリーブ１４の開放端４０を通じてスライドさせることができる。バー２０から圧力を抜くことにより、前記バーを開放して、隣の外側の位置に停止させることができる。
【００２４】
前記ブリスターカードは、諸条件を満たすように配置されて、且つ、戻り止め受け及び／又は保持装置受けの機能を実行するために付加された一以上の穴を有する従来のブリスターパッケージであっても良い。当業者には理解されるように、戻り止め受け及び保持装置受けは、ブリスターを形成している間に形成することができる。プラスチックのブリスター層及び紙の基材の積層化された横断面全体が、強度を提供している。一定の収納要素は、前記ブリスターカードを囲んで、新しいロックケース、コンテナ又はパッケージを形成する。平行な一連の穴のうちの一以上の穴における戻り止めにより、望ましくない前記トレイの外向きの移動することを防止する。押して、引張って、及び開放するシーケンスは、ブリスターの露出を制限する。逆方向の圧力により、部品を操作することなしに、容易にブリスタートレイをスライドして前記収納された要素へ戻すことができる。
【００２５】
本願発明は、特定の実施例を参照して説明されたが、本願発明の改良及びバリエーションは、本願発明の技術的思想から逸脱しない限り、本願発明の技術的範囲に属するものである。
【図面の簡単な説明】
【００２６】
【図１】ロックブリスターバックの分解上面斜視図である。
【図２】ロックパッケージの分解底面斜視図である。
【図３】閉じたロックパッケージの底面斜視図である。
【図４】若干改善され、且つ、丸められた閉鎖端部を有するコンテナから外向きに部分的に移動したブリスターパネルを有するロックパッケージの透視上面斜視図である。
【図５】入れる準備が整ったブリスターパネルを伴うケースの透視上面斜視図である。
【符号の説明】
【００２７】
１０  ケース
１２  ブリスターカード
１４  ロックスリーブ
２９  戻り止め
３４  開口部
４８  バネ
５４  保持装置
【図１】
2007506623.tif 000003
【図２】
2007506623.tif 000004
【図３】
2007506623.tif 000005
【図４】
2007506623.tif 000006
【図５】
2007506623.tif 000007
【図６】
2007506623.tif 000008
【図７】
2007506623.tif 000009
【図８】
2007506623.tif 000010
【図９】
2007506623.tif 000011
【図１０】
2007506623.tif 000012
【図１１】
2007506623.tif 000013
【図１２】
2007506623.tif 000014
【図１３】
2007506623.tif 000015
【図１４】
2007506623.tif 000016
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
小出しされるべきアイテムを保持しているケース及び滑動可能なカードを備えた保存・投薬システムであって、
前記カードは、少なくとも一つの戻り止め受け及び少なくとも一つの保持装置受けを備え、
前記ケースは、
第２側面と接続して、前記カードを受容するための空洞部を形成する第１側面と、
対向する閉鎖縁端部及び前記接続により形成されて、さらには前記空洞部を規定する閉鎖端部と、
前記カードが第１位置と第２位置との間を移動することを可能とするように構成された前記閉鎖端部と対向する開口端部と、
前記側面の中の一側面から前記戻り止め受けと係合するための前記空洞部へ向かって延伸する少なくとも一つの戻り止めと、
前記戻り止め受けと前記戻り止めとの係合を解除するように構成された前記戻り止めの近接するリリースと、
を備えており、
前記戻り止めと前記戻り止め受けとを係合させることによって、前記ケース内の前記カードをロックして、前記リリースを操作して前記戻り止めと前記戻り止め受けとの係合を解除することにより、前記カードのロックを解除して、
前記保持装置受けと係合するさらなる保持装置が、偶発的に前記ケースから滑動可能なカードが完全に外れることを防止することを特徴とする前記システム。
【請求項２】
前記保持装置は、固定端と遠位自由端を有する前記空洞部内に設けられて、前記自由端は、前記保持装置受けと係合して、前記ケースから前記カードの離脱を妨げるような構成であることを特徴とする請求項２に記載のシステム。
【請求項３】
前記保持装置は、交換用のカードによって前記自由端が前記保持装置受けとの係合を解除されるように構成される一体成形のバネであることを特徴とする請求項１に記載のシステム。
【請求項４】
前記戻り止め受けと前記保持装置受けとは、それぞれ同一の開口部を備えることを特徴とする請求項３のシステム。
【請求項５】
前記カードが、消耗する薬剤を保持し、単位量を服用するためのブリスターカードであることを特徴とする請求項１に記載のシステム。
【請求項６】
前記係合手段が、前記カードに圧縮力を作用させる少なくとも一つの内方に延伸する付属物を備えることを特徴とする請求項２に記載のシステム。
【請求項７】
前記第１位置が、前記戻り止め受けと係合された前記戻り止めを備え、前記カードが、実質的に前記ケース内に収められていることを特徴とする請求項１に記載のシステム。
【請求項８】
前記第２位置が、前記保持装置受けと係合された前記保持装置とを備え、前記カードが実質的に前記ケースを越えて延伸されていることを特徴とする請求項１に記載のシステム。
【請求項９】
小児用の安全装置は、ケースを備え、
前記ケースは、
トップと接続されて、薬剤を保持するブリスターカードを受容するための空洞部を形成するベースと、
前記接続によって形成され、前記空洞部をさらに規定する、対向する側面及び閉鎖端部と、
前記カードの移動を許容するように構成され、前記閉鎖端部と対向する開口端部と、
前記空洞部内に位置し、少なくとも一つの第１の位置（実質的な受容位置）で前記カードと係合する戻り止めと、
前記カードが前記第1位置内に位置する場合に、前記空洞部内に位置すると共に、前記戻り止めに隣接して、前記カードを前記戻り止めと係合するために押し上げるように構成された少なくとも一つの係合手段と、
前記ケースと一体となって、前記戻り止め近傍に位置し、前記カードを前記戻り止めとの係合から解除させるように構成されたリリースと、
前記空洞部内に位置して、実質的に延伸された第２位置内で前記カードと係合する少なくとも一つの保持装置と、
を備えてなり、
前記少なくとも一つの保持装置が前記ケースから前記カードが偶発的に完全に外されることを防止することを提供することを特徴とする前記安全装置。
【請求項１０】
前記係合手段が、少なくとも一つの内方に延伸する付属物を備えることを特徴とする請求項９に記載の装置。
【請求項１１】
前記延伸する付属物が、前記カードに圧縮力を作用することを特徴とする請求項１０に記載の装置。
【請求項１２】
前記保持装置が、開放可能な、内方に延伸する付属物を備えることを特徴とする請求項９に記載の装置。
【請求項１３】
ケースに受容する小児用の安全なブリスターカード受けケースと共に利用するブリスターカードであって、
薬剤を受容するように構成された複数の柔軟なブリスターを有する第１側面と、
少なくとも一つのブリスター内に位置する少なくとも一つの薬剤と、
第２側面に取り付けられて、前記薬剤をそれぞれの前記ブリスター内に固定するための破壊可能なシール材と、
前記カードが第１の位置（実質的に受容される位置）にある場合に、前記ケースの戻り止めと係合するように構成されており、前記ケースから前記カードが偶発的に完全に外れることを防止することを提供する少なくとも一つの戻り止め受けと、
前記カードが第２の位置（実質的に延伸する位置）にある場合に、前記ケースと取り付けられた保持装置と係合するように構成された少なくとも一つの保持装置受けと、
を備え、前記ブリスターが、前記カードが前記第１及び第２位置の間を滑動可能な位置にあることを特徴とする前記カード。
【請求項１４】
前記戻り止め受けと前記保持装置受けとが、それぞれ別々の開口部を備えることを特徴とする請求項１３に記載のカード。
【請求項１５】
前記戻り止め受けと前記保持装置受けとが、それぞれ同一の開口部を備えることを特徴とする請求項１３に記載のカード。
【請求項１６】
前記第１位置が、実質的に前記ケース内に囲まれている前記カードを備えることを特徴とする請求項１３に記載のカード。
【請求項１７】
前記第２位置が、実質的に前記ケースを越えて延伸された前記カードを備えることを特徴とする請求項１３に記載のカード。
【手続補正２】
【補正対象書類名】明細書
【補正対象項目名】全文
【補正方法】変更
【補正の内容】
【発明の詳細な説明】
【技術分野】
【０００１】
［関連出願についての記載］
本願発明は、２００３年９月２３日に出願された同時係属中の米国特許仮出願第６０／５０４，９７７号の優先権を主張しており、該出願は、引用により、その全体が本明細書に組み込まれる。
【０００２】
本願発明は、一般的には、小児安全用のロックケースに関する。特に、本願発明は、薬剤の入ったブリスターカードを受容し、保持し、及び安全にするための小児用の安全ケースであって、前記ケース内に位置する付属物を経由して、開放可能なように前記ブリスターカードを係合するように構成されているものに関する。
【背景技術】
【０００３】
前記ケースを開けるために複数の動作を要するロックケース、特に小児用の安全ケース又はロックケースには、多くの用途がある。ロックケースの１つの用途は、丸薬及び錠剤の形状の薬又は薬剤の投薬をコントロールすることにある。薬剤瓶のロックキャップはよく知られている。前記キャップを回しケースから取り除いて薬剤を取り出す際に、一般的なロックキャップの構造には、整合された配置及び傾斜、又は、軸方向圧力、又は、半径内向きの絞りを必要とされる。
【０００４】
多くの薬剤は、簡便な平箱に包装されており、チャイルドプルーフロックを取り付けることは困難である。丸剤又は錠剤の形態をした多くの薬剤は、前記カバーから錠剤が取り出される場合に穴を開けられる紙又は箔によりシールされたプラスチックシート上に形成された保護胞（protective alvedi）であるブリスターカードで利用することが可能である。厚紙でできた平箱を開いた場合に、前記包装の中身の全てがむき出しになるので、全ての前記錠剤は、直ちに使用可能な状態となってしまう。大量の錠剤を手に取って不意にそれを飲んでしまうような危険が、子供の身に及ぶことは明白である。
【０００５】
薬剤を保持するための小児用の安全な平箱の存在が求められる。前記箱を開くために協働する動作を必要とするロック機能付き平箱の存在が求められる。一度に限定された服用量を提供するような薬剤を保持するケースの存在が求められる。
【発明の開示】
【発明が解決しようとする課題】
【０００６】
本願発明の第１の特徴は、小出しされるべきアイテムを保持しているケース及び滑動可能なカードを備えた保存・投薬システムであって、前記カードは、少なくとも一つの戻り止め受け及び少なくとも一つの保持装置受けを備え、前記ケースは、第２側面と接続して、前記カードを受容するための空洞部を形成する第１側面と、対向する閉鎖縁端部及び前記接続により形成されて、さらには前記空洞部を規定する閉鎖端部と、前記カードが第１位置と第２位置との間を移動することを可能とするように構成された前記閉鎖端部と対向する開口端部と、前記側面の中の一側面から前記戻り止め受けと係合するための前記空洞部へ向かって延伸する少なくとも一つの戻り止めと、前記戻り止め受けと前記戻り止めとの係合を解除するように構成された前記戻り止めの近接するリリースと、を備えており、前記戻り止めと前記戻り止め受けとを係合させることによって、前記ケース内の前記カードをロックして、前記リリースを操作して前記戻り止めと前記戻り止め受けとの係合を解除することにより、前記カードのロックを解除して、前記保持装置受けと係合するさらなる保持装置が、偶発的に前記ケースから滑動可能なカードが完全に外れることを防止することを特徴とする前記システムを提供することにある。
【０００７】
前記システムは、固定端と遠位自由端を有する前記空洞部内に設けられた保持装置を備え、前記自由端は前記保持装置受けと係合して前記ケースから前記カードの離脱を妨げるように構成されることが好ましい。
【０００８】
前記保持装置は、交換用のカードによって、前記自由端が前記保持装置受けとの係合を解除できるように構成される一体成形のバネ（living spring）であることがさらに好ましい。
【０００９】
前記戻り止め受け及び保持装置受けが、それぞれ同一の開口部を備えることが好ましい。
【００１０】
前記カードが、消耗する薬剤を保持し、単位量を服用するためのブリスターカードであることが好ましい。
【００１１】
前記係合手段が、前記カードに圧縮力を作用させる少なくとも一つの内方に延伸する付属物を備えることが好ましい。
【００１２】
前記第１位置が、前記戻り止め受けと係合された戻り止めを備えて、前記カードが実質的に前記ケース内に収められていることが好ましい。
【００１３】
前記第２位置が、前記保持装置受けと係合された前記保持装置を備えて、前記カードが実質的に前記ケースを越えて延伸されることが好ましい。
【００１４】
本願発明の第２の特徴は、ケースを備え、前記ケースは、トップと接続されて、薬剤を保持するブリスターカードを受容するための空洞部を形成するベースと、前記接続によって形成され、前記空洞部をさらに規定する、対向する側面及び閉鎖端部と、前記カードの移動を許容するように構成され、前記閉鎖端部と対向する開口端部と、前記空洞部内に位置し、少なくとも一つの第１の位置（実質的な受容位置）で前記カードと係合する戻り止めと、前記カードが前記第1位置内に位置する場合に、前記空洞部内に位置すると共に、前記戻り止めに隣接して、前記カードを前記戻り止めと係合するために押し上げるように構成された少なくとも一つの係合手段と、前記ケースと一体となって、前記戻り止め近傍に位置し、前記カードを前記戻り止めとの係合から解除させるように構成されたリリースと、前記空洞部内に位置して、実質的に延伸された第２位置内で前記カードと係合する少なくとも一つの保持装置と、を備えてなり、前記少なくとも一つの保持装置が前記ケースから前記カードが偶発的に完全に外されることを防止することを提供することを特徴とする小児用の安全装置を提供することにある。
【００１５】
前記係合手段が、少なくとも一つの内方に延伸する付属物を備えることが好ましい。
【００１６】
前記延伸する付属物が、前記カードに圧縮力を作用させることがさらに好ましい。
【００１７】
前記保持装置が、開放可能な、且つ、内方に延伸する付属物を備えることが好ましい。
【００１８】
本願発明の第３の特徴は、ケースに受容する小児用の安全なブリスターカード受けケースと共に利用するブリスターカードであって、薬剤を受容するように構成された複数の柔軟なブリスターを有する第１側面と、少なくとも一つのブリスター内に位置する少なくとも一つの薬剤と、第２側面に取り付けられて、前記薬剤をそれぞれの前記ブリスター内に固定するための破壊可能なシール材と、前記カードが第１の位置（実質的に受容される位置）にある場合に、前記ケースの戻り止めと係合するように構成されており、前記ケースから前記カードが偶発的に完全に外れることを防止することを提供する少なくとも一つの戻り止め受けと、前記カードが第２の位置（実質的に延伸する位置）にある場合に、前記ケースと取り付けられた保持装置と係合するように構成された少なくとも一つの保持装置受けと、を備え、前記ブリスターが、前記カードが前記第１及び第２位置の間を滑動可能な位置にあることを特徴とする前記カードを提供することにある。
【００１９】
前記戻り止め受け及び保持装置受けが、それぞれ別々の開口部を備えることが好ましい。
【００２０】
前記戻り止め受け及び保持装置受けが、それぞれ同一の開口部を備えることが好ましい。
【００２１】
前記第１位置が、実質的に前記ケース内に囲まれている前記カードを備えることが好ましい。
【００２２】
前記第２位置が、実質的に前記ケースを越えて延伸された前記カードを備えることが好ましい。
【発明を実施するための最良の形態】
【００２３】
必要に応じて、本願発明の詳細な実施例を以下に示す。開示された実施例は、本願発明の単なる典型例であり、様々な代替となる形態で実施することができることが理解されるであろう。図は、必ずしも縮尺通りではなく、幾つかの構成（feature）が誇張又は簡略化されることにより、特定の構成部品の詳細を示している。他の例では、本願発明の本質を曖昧にすることを避けるために、周知の材料又は手法が詳細には表わされていない。従って、下記に開示される特定の構造と機能的な詳細とが限定されて解釈されてはならない。しかしながら、特許請求の範囲及び教示事項に基づいて、本願発明分野に属する当業者は本願発明を多様に実行することができる。
【００２４】
全体に亘って同様の参照符号は同様の構成を表わしている。図について言及すると、本願発明の複数の実施例が図示されている。初めに図１〜３を見てみると、ロックケースの分解上面図、分解底面図及び底面図がある。図１によると、ロックケース１０は、滑動する１回服用分のブリスターカード１２を備える。ロックスリーブ１４は、ベース１６と上面１８とを備える。略Ｕ状押しフラップ２０は、開口部２１の中に形成されて、薄く弾性のあるヒンジ部２２により、前記ケースとともに結合され、一体的に形成される。押すと解放されるフラップの自由端２４を押すことにより、トレイ１２はフリーな状態になる。自由端２４は、その内側に湾曲したリム２５を備える。フラップ２０が沈み込んでいる間に、開口された端部の凹部２８の中にある前記カードの露出端部２６を掴んで外側へ引き出すことにより、カードを滑動させ前記ケースから取り外して、前記ブリスターを露出させることができる。
【００２５】
ブリスターカード１２は、２つの列３２に配列された１回の服用量を受容するブリスター３０を備える。この特別な配列により、前記ブリスターは、前記カードが内方へ又は外方へスライドする場合に、図示された実施例の特定の内側構成部分との干渉を避けることができる。前記カードは、当業者によってよく知られた方法で構築されており、内側構成部分と係合するための１以上の開口部を含む。図示されたブリスターカード１２は、１つの開口部又は穴３４を有し、これらは戻り止め受け及び保持装置受けとして機能するように構成されており、前記カードと協調的に係合して、前記カードがスリーブ１４から外れることを防止する。図示された実施例において、開口部３４は、ブリスター３０を越えた位置にあり、戻り止め２９と協働して、リリース２０を押すこと又はさもなくば他の適当に操作することによりリリース２０を意図的に解放されるまで、前記カードが移動又は変形することを防止する。
【００２６】
代替的な実施例においては、前記カードが前記ケース内部に完全に嵌め込まれた場合には、前記カードの端部にあるリブ３８は、スリーブ１４の開口端４０を閉じ、さらにブリスター３０へのアクセスを防止する。前記リブは、切欠部２８内に係合して、前記カードの外方へのスライドを補助する。図３において最も良く表わされているように、閉じられた位置では、リブ３８が、上面１８の内側に抗して押されることにより、スリーブ１４の開口端４０をさらに封止する。
【００２７】
スリーブの上面１８における開口部４６には、ここではバネ４８として図示されるように、係合手段を内方に形成することができて、このバネ４８は、前記カードを押し込むことにより、戻り止め２９を保持すると共に穴３４に係合させる。追加的な係合手段は、当業者にはよく知られているように、前記カードに力を加えるものとして、リブ、板バネ、ダガーバネ（dagger spring）及びそれに類する構成物を含む。係合手段は、戻り止めと対向する必要はなく、むしろ、係合手段と前記戻り止めとは、単に協調的に前記カードの戻り止め保持装置３４と係合するように構成されていれば良いことが理解されるであろう。
【００２８】
ベース１６の側壁５２に沿って並んだ円筒部５０は、前記上面から下方へ延伸するピン５１を受容することができる。保持装置５４は、凹部２８の上方にある開口端４０の近くであって、上面１８の中央にある前記バネとして図示されるが、保持装置５４は、開口部３４として図示されている前記保持装置受けを通じて延伸することにより、不慮の事故により前記カードが引き抜かれることを防止する。戻り止め２９は、ここでは穴３４として図示されている前記戻り止め保持装置を通じて突出することにより、スリーブ１４内にトレイ１２を固定する。保持装置５４は挿入されたブレード又は交換用カードによって押し込まれ、穴３４から前記バネを引き抜くことが可能となり、満たされたブリスターカードを挿入する準備のために、空のブリスターカード１２を解放する。カードが前記ベースの内外へ滑動するときには、内部リブ５８が前記カードを安定させる。
【００２９】
図４は、改良されたラウンド形状の閉鎖端部を有するロックケース１１の部分的に延伸されたスリーブを透視した上面図である。図示された構成において、トップ１８がベース１６の上に組み付けられた後、前記カードは前記ケース内に載置される。これに代えて、前記カードを組立前に前記ベースの上に載置することもできる。
【００３０】
図５は、カード１２を挿入可能な状態となっているパッケージ１１の前記スリーブ１４を透視した底面図である。トップ１８は、その内側にスプリング４８の間に配置されたリブを有しており、ベース１６の内面上にあるガイド６４に対して、前記カードを保持している。前記リブとスプリング４８とは、ブリスターが前記トップの内面から離間するのに十分な高さとされている。
【００３１】
略Ｕ状フラップ２０のヘッド２４は、前記リブ又はスプリング４８の間に配置されており、リブ５８の内側端部６８の間のギャップ６６（図２に最も良く示されている）でスプリングの方向にカードを撓ませ、戻り止め２９から穴３４を離脱させる。前記ベースの内面上にある付加的なガイド６４により、前記カードを容易にスライドさせることができる。ベースの側壁５２の内側におけるリッジ５８は、トップ１８上の相補的な側壁の内側に適合することができる。プッシュトレイリリースフラップ２０は、戻り止め２９と協働する前記フラップのヘッド２４の内側にリブ２５を含む。前記ブリスターカードの隣接部分が、係合のための付属物４８に抗してトップ１８へ向かって撓むことにより、戻り止め２９との係合から前記カードを解放する場合には、リブ２５が内側に押される。
【００３２】
戻り止め２９は、真っ直ぐな又はフック状の内面７６を有し、ブッシュバー２０とリブ２５とが前記戻り止めから離れるように前記カードを撓ませない限り、前記カードを保持して、外側への移動を防止する。前記カードの内部で移動する場合に、前記戻り止め上の傾斜した外面７８は、カードを内側へ移動させる際に、前記戻り止めから離れるように前記カードを撓ませ、前記カードの前記自由端を押したときに、内側への自由な動きを許容する。
【００３３】
ブリスターの間に設けられた一週間の曜日の頭文字又は他の規則に関する表示（compliance related indicia）が、リマインダーとして機能する。丸薬をブリスター３０から取り出した後、前記カードを内側にスライドさせることにより、前記カードを戻すことができる。内側にスライドさせている間、傾斜した表面７８は、開口部３４及びカード１２を押し上げて、戻り止め２９から離脱させる。完全に挿入された場合には、開口部３４は戻り止め２９と係合される。
【００３４】
代替的な実施例においては、図示しないが、略Ｔ状リリースバー２０が内向きにモールドされており、カードにより外側に押される。案内リブが前記ブリスターの側面の間又はその側面に位置するので、リブ又はスプリング４８のような係合手段は、トップ１８と共に内側に成形される。従って、係合手段は、前記略Ｔ状バーを外方へ保持する際に、前記カードを支持する。前記戻り止めの傾斜した背面とリブの内面とは他のカードの表面に沿って丸められており、前記カードのスライドすなわち前記表面の移動を容易ならしめる。前記ブッシュバーの外面は摩擦溝を有しており、前記バーを内向きに押す場合の助けとなる。前記カード上の複数の平行な穴３４は、前記ケースの内部に形成された平行な戻り止めと係合する。略Ｔ状リリース２０を内向きに押すことにより、係合手段により提供される力に抗して、カード１２の一部が前記戻り止めから離脱するように撓む。穴３４は、前記カードの撓みにより、戻り止め２９から離脱するように移動して、トレイ１２をスリーブ１４の開放端４０を通じてスライドさせることができる。バー２０から圧力を抜くことにより、前記バーを開放して、隣の外側の位置に停止させることができる。
【００３５】
前記ブリスターカードは、諸条件を満たすように配置されて、且つ、戻り止め受け及び／又は保持装置受けの機能を実行するために付加された一以上の穴を有する従来のブリスターパッケージであっても良い。当業者には理解されるように、戻り止め受け及び保持装置受けは、ブリスターを形成している間に形成することができる。プラスチックのブリスター層及び紙の基材の積層化された横断面全体が、強度を提供している。一定の収納要素は、前記ブリスターカードを囲んで、新しいロックケース、コンテナ又はパッケージを形成する。平行な一連の穴のうちの一以上の穴における戻り止めにより、望ましくない前記トレイの外向きの移動することを防止する。押して、引張って、及び開放するシーケンスは、ブリスターの露出を制限する。逆方向の圧力により、部品を操作することなしに、容易にブリスタートレイをスライドして前記収納された要素へ戻すことができる。
【００３６】
本願発明は、特定の実施例を参照して説明されたが、本願発明の改良及びバリエーションは、本願発明の技術的思想から逸脱しない限り、本願発明の技術的範囲に属するものである。
【図面の簡単な説明】
【００３７】
【図１】ロックブリスターバックの分解上面斜視図である。
【図２】ロックパッケージの分解底面斜視図である。
【図３】閉じたロックパッケージの底面斜視図である。
【図４】若干改善され、且つ、丸められた閉鎖端部を有するコンテナから外向きに部分的に移動したブリスターパネルを有するロックパッケージの透視上面斜視図である。
【図５】入れる準備が整ったブリスターパネルを伴うケースの透視上面斜視図である。
【符号の説明】
【００３８】
１０  ケース
１２  ブリスターカード
１４  ロックスリーブ
２９  戻り止め
３４  開口部
４８  バネ
５４  保持装置
【手続補正書】
【提出日】平成18年5月23日(2006.5.23)
【手続補正１】
【補正対象書類名】明細書
【補正対象項目名】００３７
【補正方法】変更
【補正の内容】
【００３７】
【図１】ロックブリスターバックの分解上面斜視図である。
【図２】ロックパッケージの分解底面斜視図である。
【図３】閉じたロックパッケージの底面斜視図である。
【図４】若干改善され、且つ、丸められた閉鎖端部を有するコンテナから外向きに部分的に移動したブリスターパネルを有するロックパッケージの透視上面斜視図である。
【図５】入れる準備が整ったブリスターパネルを伴うケースの透視上面斜視図である。
【図６】ロックブリスターパックの透視上面斜視図である。
【図７】ロックブリスターパックにブリスターカードを挿入する途中における上面斜視図である。
【図８】図７における底面斜視図である。
【図９】ロックブリスターパック及びブリスターカードの分解透視上面斜視図である。
【図１０】図９における分解透視底面斜視図である。
【図１１】本願発明の利用例におけるロックブリスターパックの底面斜視図である。
【図１２】本願発明の他の利用例におけるロックブリスターパックの底面斜視図である。
【図１３】本願発明の利用例におけるロックブリスターパックにブリスターカードを挿入する途中における上面斜視図である。
【図１４】本願発明の利用例におけるロックブリスターパック及びブリスターカードの斜視分解上面斜視図である。
【国際調査報告】
2007506623.tif 000017
2007506623.tif 000018
2007506623.tif 000019